(57)【要約】      （修正有）【課題】調理容器の温度を検出する温度検出装置が、五徳上で調理容器を移動させる場合に邪魔にならず、使いやすいガスコンロを提供する。【解決手段】永久磁石が温度検出装置９の移動側支持筒１２に配設され、永久磁石からの磁束を検出する磁気センサ１７０が固定側支持部材１１に複数段（二段）に配設され、通電によって磁力を生じる電磁コイル１６０が、磁気センサに対して上下の位置関係が生じるように、固定側支持部材に複数段に配設され、制御手段は、複数段の磁気センサのうちの一の磁気センサが所定の磁束を検出したとき、（ａ）一の磁気センサの上方向に隣り合う上側電磁コイルに対し、永久磁石との間で吸引力を生じる極性となるように通電し、（ｂ）一の磁気センサの下方向に隣り合う下側電磁コイルに対し、永久磁石と反発力を生じる極性となるように通電することにより、永久磁石を介して移動側支持筒を上昇させる上昇制御を行う。【選択図】図３
2018035970.tif 000002
【特許請求の範囲】
【請求項１】
調理容器を加熱するコンロバーナと、前記調理容器が載置される五徳と、前記コンロバーナを上下方向に貫通する貫通口に挿通されて前記調理容器の温度を検出する温度検出装置と、前記コンロバーナの火力を制御する制御手段とを備えるガスコンロであって、
前記温度検出装置が、（ａ）一端側が前記ガスコンロに設けた所定の固定部に固定され、前記一端側に対する他端側が上下方向に伸びるように配設された固定側支持部材と、（ｂ）前記固定側支持部材に支持され、前記固定側支持部材に対して上下動可能に構成された移動側支持筒と、（ｃ）前記移動側支持筒の上端に配設され、前記調理容器の上下動に追随して上下動することにより、前記調理容器の底面に当接するように構成された当接体と、（ｄ）前記当接体の下面側に、前記当接体と熱的に結合する態様で配設されたサーミスタとを具備しているとともに、
磁極が所定方向に配置された永久磁石が前記移動側支持筒に配設され、
前記永久磁石からの磁束を検出する磁気センサが前記固定側支持部材の上下方向に所定の間隔をおいて複数段に配設され、
通電によって磁力を生じる電磁コイルが、前記磁気センサに対して上下の位置関係が生じるような態様で、前記固定側支持部材の上下方向に所定の間隔をおいて複数段に配設されており、
前記制御手段は、上下方向に配設された複数段の前記磁気センサのうちの一の磁気センサが所定の磁束を検出したとき、（ａ）前記一の磁気センサの上方向に隣り合う上側電磁コイルに対し、前記永久磁石との間で吸引力を生じる極性となるように通電し、（ｂ）前記一の磁気センサの下方向に隣り合う下側電磁コイルに対し、前記永久磁石と反発力を生じる極性となるように通電することにより、
前記永久磁石を介して前記移動側支持筒を上昇させる上昇制御を実行するように構成されていること
を特徴とするガスコンロ。
【請求項２】
前記コンロバーナへの点消火を指令する点消火操作部を備え、前記点消火操作部による点火指令の発令によって前記制御手段が前記上昇制御を実行し、前記点消火操作部による消火指令の発令によって前記制御手段が前記上昇制御の実行を終了するように構成されていることを特徴とする請求項１記載のガスコンロ。
【請求項３】
前記制御手段への通電と非通電とを切り換える電源スイッチを備え、前記電源スイッチの操作による前記制御手段への通電によって前記制御手段が前記上昇制御を実行し、前記電源スイッチの操作による前記制御手段への通電の遮断によって前記制御手段が前記上昇制御の実行を終了するように構成されていることを特徴とする請求項１記載のガスコンロ。
【請求項４】
前記永久磁石が前記移動側支持筒の下端側に配設され、前記磁気センサおよび前記電磁コイルが前記固定側支持部材の下端側に配設されていることを特徴とする請求項１〜３のいずれかに記載のガスコンロ。
【請求項５】
前記永久磁石が、前記移動側支持筒の上下方向に延びる中心軸を挟んで同じ上下方向位置に複数配置された個別永久磁石から構成され、
前記磁気センサが、前記固定側支持部材の上下方向に延びる中心軸を挟んで同じ上下方向位置に複数配置された個別磁気センサから構成されているとともに、  前記電磁コイルが、前記固定側支持部材の上下方向に延びる中心軸を挟んで同じ上下方向位置に複数配置された個別電磁コイルから構成されていること
を特徴とする請求項１〜４のいずれかに記載のガスコンロ。
【請求項６】
前記制御手段が前記上昇制御を実行したときに、前記制御手段が、前記磁気センサの出力に応じて前記五徳上に前記調理容器が載置されているか否かの判定を行い、前記五徳上に前記調理容器が載置されてないと判定された場合には、前記コンロバーナへの点火を行わないように構成されていること
を特徴とする請求項１〜５のいずれかに記載のガスコンロ。
【発明の詳細な説明】
【技術分野】
【０００１】
本発明は、ガスコンロに関し、詳しくは、鍋や釜などの調理容器の温度を検出する温度検出装置を備えたガスコンロに関する。
【背景技術】
【０００２】
ガスコンロには、鍋や釜などの調理容器の温度を検出する温度検出装置と、検出された調理容器の温度により、コンロバーナの火力を制御する制御手段を備えたガスコンロがある。
【０００３】
そのようなガスコンロとして、特許文献１には、調理器の温度を検出する温度検出手段（温度検出装置）と、火力調節を行う制御手段とを備えた加熱調理器（ガスコンロ）であって、加熱手段であるコンロバーナによって加熱される調理容器の下面に、温度検出手段の当接体（集熱板）が当接して、調理容器の下面の温度を検出し、その検出温度に応じて、制御手段がコンロバーナの火力調節を行うようにした加熱調理器（ガスコンロ）が提案されている。
【０００４】
この特許文献１のガスコンロによれば、調理容器の下面に第１の温度センサが当接しているか否かが判別可能となり、例えば調理容器の下面に第１の温度センサが当接していない場合には温度の検知ができないため燃焼を停止する、というような制御が可能になり、有意義である。
【先行技術文献】
【特許文献】
【０００５】
【特許文献１】特開２０１３−１６４２５７号公報
【発明の概要】
【発明が解決しようとする課題】
【０００６】
しかしながら、上述の特許文献１の加熱調理器（ガスコンロ）の場合、温度検出手段（温度検出装置）の当接体（集熱板）は、調理容器が載置されない状態において、調理容器を載置する五徳の上端よりも上方に突出した状態となる。
【０００７】
その場合、一つのコンロバーナの五徳上から、他のコンロバーナの五徳上に調理容器を移動させたり、一旦五徳上から調理容器を退避させて、再び当該五徳上に調理容器を戻したりする場合に、五徳の上端よりも上方に突出した温度検出手段が、調理容器の移動の邪魔になる場合があり、使い勝手が悪いという問題点がある。
【０００８】
本発明は、上記課題を解決するものであり、調理容器の温度を検出するための温度検出装置が、五徳上において調理容器を移動させる場合に邪魔になるようなことがなく、使い勝手のよいガスコンロを提供することを目的とする。
【課題を解決するための手段】
【０００９】
上記の目的を達成するために、本発明のガスコンロは、
調理容器を加熱するコンロバーナと、前記調理容器が載置される五徳と、前記コンロバーナを上下方向に貫通する貫通口に挿通されて前記調理容器の温度を検出する温度検出装置と、前記コンロバーナの火力を制御する制御手段とを備えるガスコンロであって、
前記温度検出装置が、（ａ）一端側が前記ガスコンロに設けた所定の固定部に固定され、前記一端側に対する他端側が上下方向に伸びるように配設された固定側支持部材と、（ｂ）前記固定側支持部材に支持され、前記固定側支持部材に対して上下動可能に構成された移動側支持筒と、（ｃ）前記移動側支持筒の上端に配設され、前記調理容器の上下動に追随して上下動することにより、前記調理容器の底面に当接するように構成された当接体と、（ｄ）前記当接体の下面側に、前記当接体と熱的に結合する態様で配設されたサーミスタとを具備しているとともに、
磁極が所定方向に配置された永久磁石が前記移動側支持筒に配設され、
前記永久磁石からの磁束を検出する磁気センサが前記固定側支持部材の上下方向に所定の間隔をおいて複数段に配設され、
通電によって磁力を生じる電磁コイルが、前記磁気センサに対して上下の位置関係が生じるような態様で、前記固定側支持部材の上下方向に所定の間隔をおいて複数段に配設されており、
前記制御手段は、上下方向に配設された複数段の前記磁気センサのうちの一の磁気センサが所定の磁束を検出したとき、（ａ）前記一の磁気センサの上方向に隣り合う上側電磁コイルに対し、前記永久磁石との間で吸引力を生じる極性となるように通電し、（ｂ）前記一の磁気センサの下方向に隣り合う下側電磁コイルに対し、前記永久磁石と反発力を生じる極性となるように通電することにより、前記永久磁石を介して前記移動側支持筒を上昇させる上昇制御を実行するように構成されていること
を特徴としている。
【００１０】
本発明のガスコンロにおいては、前記コンロバーナへの点消火を指令する点消火操作部を備え、前記点消火操作部による点火指令の発令によって前記制御手段が前記上昇制御を実行し、前記点消火操作部による消火指令の発令によって前記制御手段が前記上昇制御の実行を終了するように構成されていることが好ましい。
【００１１】
また、前記制御手段への通電と非通電とを切り換える電源スイッチを備え、前記電源スイッチの操作による前記制御手段への通電によって前記制御手段が前記上昇制御を実行し、前記電源スイッチの操作による前記制御手段への通電の遮断によって前記制御手段が前記上昇制御の実行を終了するように構成されていることが好ましい。
【００１２】
また、前記永久磁石が前記移動側支持筒の下端側に配設され、前記磁気センサおよび前記電磁コイルが前記固定側支持部材の下端側に配設されていることが好ましい。
【００１３】
また、前記永久磁石が、前記移動側支持筒の上下方向に延びる中心軸を挟んで同じ上下方向位置に複数配置された個別永久磁石から構成され、
前記磁気センサが、前記固定側支持部材の上下方向に延びる中心軸を挟んで同じ上下方向位置に複数配置された個別磁気センサから構成されているとともに、
前記電磁コイルが、前記固定側支持部材の上下方向に延びる中心軸を挟んで同じ上下方向位置に複数配置された個別電磁コイルから構成されていること
が好ましい。
【００１４】
また、前記制御手段が前記上昇制御を実行したときに、前記制御手段が、前記磁気センサの出力に応じて前記五徳上に前記調理容器が載置されているか否かの判定を行い、前記五徳上に前記調理容器が載置されてないと判定された場合には、前記コンロバーナへの点火を行わないように構成されていることが好ましい。
【発明の効果】
【００１５】
本発明のガスコンロにおいては、上述のように、制御手段が、上下方向に配設された複数段の磁気センサのうちの一の磁気センサ（一段の磁気センサ）が所定の磁束を検出したとき、（ａ）一の磁気センサ（一段の磁気センサ）の上方向に隣り合う段の電磁コイルである上側電磁コイルに対し、永久磁石との間で吸引力を生じる極性となるように通電し、（ｂ）一の磁気センサ（一段の磁気センサ）の下方向に隣り合う段の電磁コイルである下側電磁コイルに対し、永久磁石と反発力を生じる極性となるように通電することにより、永久磁石を介して移動側支持筒を上昇させる上昇制御を実行するように構成されている。
【００１６】
そのため、制御手段が上述の上昇制御を実行しない温度検出装置の下降状態では、五徳上において調理容器を移動させるときに、温度検出装置が邪魔になることがない。
【００１７】
しかも、制御手段が上昇制御を実行した温度検出装置の上昇状態においては、五徳上に調理容器が載置されたときに当接体が調理容器の下面の上下位置に追随して上下するので、温度検出装置によって調理容器の温度を適切に検出することができる。
【００１８】
さらに、通電によって永久磁石と電磁コイルとの間に生じる吸引力と反発力とが、移動側支持筒を上方に向けて付勢する付勢力として作用するので、移動側支持筒を上方に向けて付勢するスプリングなどの付勢手段を別途必要としないため、構造を簡素化することができる。
【００１９】
また、コンロバーナへの点消火を指令する点消火操作部を備え、点消火操作部による点火指令の発令によって制御手段が上昇制御を実行し、点消火操作部による消火指令の発令によって制御手段が上昇制御の実行を終了するように構成した場合、点消火操作部の点消火操作によって上昇状態と下降状態とが切り換えられるので、使い勝手の良好なガスコンロを提供することが可能になる。
【００２０】
また、制御手段への通電と非通電とを切り換える電源スイッチを備え、電源スイッチの操作による制御手段への通電によって制御手段が上昇制御を実行し、電源スイッチの操作による制御手段への通電の遮断によって制御手段が上昇制御の実行を終了するように構成した場合、電源スイッチの操作による、制御手段への通電および非通電によって上昇状態と下降状態とが切り換えられるので、使い勝手の良好なガスコンロを提供することが可能になる。
【００２１】
また、永久磁石を移動側支持筒の下端側（中央よりも下側の位置）に配設し、磁気センサおよび電磁コイルを固定側支持部材の下端側（中央よりも下側の位置）に配設するようにした場合、コンロバーナの加熱による永久磁石や電磁コイルへの熱影響を抑制して、信頼性を向上させることができる。
【００２２】
また、永久磁石が、移動側支持筒の上下方向に延びる中心軸を挟んで同じ上下方向位置に複数配置された個別永久磁石から構成され、磁気センサが、前記固定側支持部材の上下方向に延びる中心軸を挟んで同じ上下方向位置に複数配置された個別磁気センサから構成されているとともに、電磁コイルが、固定側支持部材の上下方向に延びる中心軸を挟んで同じ上下方向位置に複数配置された個別電磁コイルから構成されている場合、上昇制御の実行時における、移動側支持筒の移動や上方への付勢がより円滑に行われるようになり、本発明をより実効あらしめることができる。
【００２３】
また、制御手段が上昇制御を実行したときに、制御手段が、磁気センサの出力に応じて五徳上に調理容器が載置されているか否かの判定を行い、五徳上に調理容器が載置されてないと判定された場合には、コンロバーナへの点火を行わないように構成することにより、五徳上に調理容器が載置されていない場合に点火時のコンロバーナの火炎に使用者が驚いてしまうようなことを抑制することが可能な使い勝手のよいガスコンロを提供することが可能になる。
【図面の簡単な説明】
【００２４】
【図１】本発明の一実施形態にかかるガスコンロの外観構成を示す斜視図である。
【図２】本発明の一実施形態にかかるガスコンロの、温度検出装置の上昇制御の非実行時の状態（すなわち、温度検出装置の下降状態）の要部構成を示す側面図である。
【図３】本発明の一実施形態にかかるガスコンロの、温度検出装置の上昇制御の実行時に、五徳上に調理容器を載置した載置状態における要部構成を示す側面図である。
【図４】本発明の一実施形態にかかるガスコンロの、温度検出装置の上昇制御の実行時に、五徳上に調理容器を載置していない状態（すなわち、温度検出装置の上昇状態）の要部構成を示す側面図である。
【図５】本発明の一実施形態にかかるガスコンロの、温度検出装置の昇降制御サブルーチンのフローチャートを示す図である。
【発明を実施するための形態】
【００２５】
［実施形態］
以下、本発明の実施形態を示して、その特徴とするところをさらに詳しく説明する。
【００２６】
＜ガスコンロの基本構造＞
図１は本発明の実施形態にかかる温度検出装置を備えたガスコンロ（この実施形態ではグリル付きガスコンロ（ドロップインコンロ））の外観構成を示す図である。
【００２７】
この実施形態の温度検出装置を備えたガスコンロ（以下、単にガスコンロともいう）Ａは、図１に示すように、コンロバーナとして、標準バーナ１ａ、高火力バーナ１ｂ、および小バーナ１ｃの３つのコンロバーナ（加熱部）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２８】
そして、標準バーナ（コンロバーナ）１ａには、被加熱物（例えば、調理容器である鍋の底）に接触してその温度を検出するためのサーミスタ１４からなる温度検出装置（温度センサ）９が、標準バーナ１ａを上下方向に貫通する貫通口２（図２〜４参照）に挿通されて標準バーナ１ａの中央を貫通するように配設されている。なお、この温度検出装置９を備えた標準バーナ１ａにより、炊飯、湯沸かし、揚げものなどの温調調理を行うことができる。
【００２９】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００３０】
さらに、ガスコンロＡの前面（前側面）には、上述のコンロバーナとグリルバーナの点火および消火、火力調節と各種の設定とを指令する手動操作部３４が設けられている。
【００３１】
また、このガスコンロＡは、各種の制御を実行するように構成された制御手段（図示せず）を備えている。制御手段は、手動操作部３４にて指令された指令情報に基づいて、コンロバーナおよびグリルバーナの燃焼状態などを制御するように構成されている。
また、ガスコンロＡの前面には、自動復帰型の押し操作式の電源スイッチ２４、電源ランプ２５が設けられており、電源スイッチ２４を押し操作する毎に、制御手段への通電と非通電が切り換えられるように構成されている。
【００３２】
上記手動操作部３４は、コンロバーナ（標準バーナ１ａ、高火力バーナ１ｂ、小バーナ１ｃ）の夫々に対して各別に点火・消火や火力調節を指令するための３つの点消火操作部（加熱状態調節部）２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（特に図示しない上側バーナと下側バーナ）の火力調節などを行うグリルバーナ操作部２２、グリルバーナの作動状態の切り換えを指令するグリル用の付加機能操作・表示部３３などを備えている。
【００３３】
＜特徴的構成＞
次に、本発明の実施形態にかかるガスコンロＡの特徴的な構成について説明する。
【００３４】
本発明の一実施形態にかかるガスコンロＡにおいて、標準バーナ（コンロバーナ）１ａに用いられている温度検出装置９は、図２〜４に示すように、（ａ）一端側１１ａがガスコンロＡに設けた固定部６１に固定され、一端側１１ａに対する他端側１１ｂが上下方向に伸びるように配設された固定側支持部材１１と、（ｂ）固定側支持部材１１に支持され、固定側支持部材１１に対して上下動可能に構成された移動側支持筒１２と、（ｃ）移動側支持筒１２の上端に配設され、調理容器４０の上下動に追随して上下動することにより、調理容器４０の底面に当接するように構成された当接体１３と、（ｄ）当接体１３の下面側に、当接体１３と熱的に結合する態様で配設されたサーミスタ１４とを備えている。
【００３５】
なおサーミスタ１４は、リード線によって制御手段（図示せず）と接続されているが、図２〜図４においては、リード線の図示を省略している。
【００３６】
本実施形態では、移動側支持筒１２の上下に延びる中心軸（図示せず）から遠ざかる方向にＮ極が位置し、中心軸（図示せず）に近づく方向にＳ極が配置された永久磁石１５が移動側支持筒１２に配設されている。なお、永久磁石１５は、以下に説明するように、個々の永久磁石である左永久磁石（個別永久磁石）１５ａと、右永久磁石（個別永久磁石）１５ｂから構成されている。
そして、左永久磁石（個別永久磁石）１５ａと、右永久磁石（個別永久磁石）１５ｂとは、移動側支持筒１２の上下方向に延びる中心軸（図示せず）を挟んで２個一対となるように配設されている。
【００３７】
また、この実施形態のガスコンロＡでは、図２〜図４に示すように、永久磁石１５を構成する左永久磁石（個別永久磁石）１５ａの左側にＮ極が位置し、右側にＳ極が位置するとともに、右永久磁石（個別永久磁石）１５ｂの右側にＮ極が位置し、左側にＳ極が位置するように構成されている。
なお、左永久磁石１５ａと、右永久磁石１５ｂは、移動側支持筒１２の下端側（中央部よりも下側の位置）に配設されている。
【００３８】
また、固定側支持部材１１には、その上下方向に所定の間隔をおいて、永久磁石１５（１５ａ，１５ｂ）からの磁束を検出する磁気センサ１７０（１７０（Ｉ），１７０（ＩＩ））が、所定の間隔をおいて複数段に（この実施形態では二段に）配設されている。なお、この実施形態では、磁気センサ１７０を構成する個別磁気センサ１７ａ，１７ｂとして、ホール素子が用いられている。
【００３９】
具体的には、この実施形態のガスコンロＡでは、固定側支持部材１１の上下方向に延びる中心軸（図示せず）を挟んで２個一対となるように配設された左磁気センサ（個別磁気センサ）１７ａ1、右磁気センサ（個別磁気センサ）１７ｂ1からなる一段目の磁気センサ１７０（Ｉ）と、同じく中心軸（図示せず）を挟んで２個一対となるように配設された左磁気センサ（個別磁気センサ）１７ａ2、右磁気センサ（個別磁気センサ）１７ｂ2からなる二段目の磁気センサ１７０（ＩＩ）とが、上下方向に所定の間隔をおいて二段に配設されている。
【００４０】
また、固定側支持部材１１には、通電によって磁力を生じる電磁コイル１６０（１６０（Ｉ），１６０（ＩＩ），１６０（ＩＩＩ））が、上述の磁気センサ１７０（１７０（Ｉ），１７０（ＩＩ））に対して上下の位置関係が生じるような態様で、固定側支持部材１１の上下方向に所定の間隔をおいて複数段に（この実施形態では三段に）配設されている。
【００４１】
具体的には、電磁コイル１６０（１６０（Ｉ），１６０（ＩＩ），１６０（ＩＩＩ））として、固定側支持部材１１の上下方向に延びる中心軸（図示せず）を挟んで２個一対となるように配設された左電磁コイル（個別電磁コイル）１６ａ1、右電磁コイル（個別電磁コイル）１６ｂ1からなる一段目の電磁コイル１６０（Ｉ）と、同じく中心軸（図示せず）を挟んで２個一対となるように配設された左電磁コイル（個別電磁コイル）１６ａ2，右電磁コイル（個別電磁コイル）１６ｂ2からなる二段目の電磁コイル１６０（ＩＩ）と、２個一対となるように配設された左電磁コイル（個別電磁コイル）１６ａ3、右電磁コイル（個別電磁コイル）１６ｂ3からなる三段目の電磁コイル１６０（ＩＩＩ）が、上下方向に所定の間隔をおいて三段に配設されている。
【００４２】
より詳しくは、一段目の電磁コイル１６０（Ｉ）が、一段目の磁気センサ１７０（Ｉ）の下に配設され、二段目の電磁コイル１６０（ＩＩ）が一段目の磁気センサ１７０（Ｉ）の上に配設されている。
そして、二段目の電磁コイル１６０（ＩＩ）の上に位置する二段目の磁気センサ１７０（ＩＩ）の上には、三段目の電磁コイル１６０（ＩＩＩ）が配設されている。
【００４３】
なお、一段目の電磁コイル１６０（Ｉ）、二段目の電磁コイル１６０（ＩＩ）、三段目の電磁コイル１６０（ＩＩＩ）は、固定側支持部材１１の下端側（中央部よりも下側の位置）に配設されている。
【００４４】
そして、この実施形態にかかるガスコンロでは、上下方向に配設された複数段の磁気センサ１７０（Ｉ），１７０（ＩＩ）のうちの一の磁気センサが所定の磁束を検出したとき、（ａ）一の磁気センサの上方向に隣り合う電磁コイル（上側電磁コイル）に対し、永久磁石１５との間で吸引力を生じる極性となるように通電し、（ｂ）一の磁気センサの下方向に隣り合う電磁コイル（下側電磁コイル）に対し、永久磁石１５と反発力を生じる極性となるように通電することにより、永久磁石１５を介して移動側支持筒１２を上昇させる上昇制御を実行するように構成されている。
【００４５】
なお、この実施形態のガスコンロＡにおいては、標準バーナ（コンロバーナ）１ａへの点消火を指令する点消火操作部２１ａによる点火指令の発令によって制御手段が上昇制御を実行し、点消火操作部２１ａによる消火指令の発令によって制御手段が上昇制御の実行を終了するように構成されている。
【００４６】
そして、例えば、図２の状態では、制御手段が上昇制御を実行すると、一段目の磁気センサ１７０（Ｉ）を構成する一段目の左磁気センサ（個別磁気センサ）１７ａ1と対向するように、左永久磁石１５ａの左側のＮ極が位置し、一段目の左磁気センサ１７ａ1が１０ｍＴ以上の磁束を検出することで、左永久磁石１５ａの左側のＮ極に対して反発力を生じる極性となるように（すなわち、図２における一段目の電磁コイル１６０（Ｉ）を構成する一段目の左電磁コイル１６ａ1の右側がＮ極となるように）、一段目の左電磁コイル１６ａ1（下側電磁コイル）に通電するともに、二段目の電磁コイル１６０（ＩＩ）を構成する二段目の左電磁コイル１６ａ2の右側がＳ極となるように（すなわち、左永久磁石１５ａの左側のＮ極に対して吸引力を生じる極性となるように）、二段目の左電磁コイル（上側電磁コイル）１６ａ2に通電する。
【００４７】
また、図２の状態で、制御手段が上昇制御を実行すると、一段目の磁気センサ１７０（Ｉ）を構成する一段目の右磁気センサ（個別磁気センサ）１７ｂ1と対向するように、右永久磁石１５ｂの右側のＮ極が位置し、一段目の右磁気センサ１７ｂ1が１０ｍＴ以上の磁束を検出することで、右永久磁石１５ｂの右側のＮ極に対して反発力を生じる極性となるように（すなわち、図２における一段目の電磁コイル１６０（Ｉ）を構成する一段目の右電磁コイル１６ｂ1の左側がＮ極となるように）、一段目の右電磁コイル（下側電磁コイル）１６ｂ1に通電するとともに、二段目の電磁コイル１６０（ＩＩ）を構成する二段目の右電磁コイル１６ｂ2の左側がＳ極となるように（すなわち、右永久磁石１５ｂの右側のＮ極に対して吸引力を生じる極性となるように）、二段目の右電磁コイル（上側電磁コイル）１６ｂ2に通電する。
【００４８】
これにより、移動側支持筒１２は上方向に付勢されて、移動側支持筒１２が上昇する。
【００４９】
また、五徳５１に調理容器４０が載置されている場合において、図３に示すように、制御手段が上昇制御を実行すると、移動側支持筒１２の上端の当接体１３が調理容器４０の底面に当接する位置まで、移動側支持筒１２が上昇する。
【００５０】
図３の状態でも、制御手段は、上昇制御の実行を継続し、二段目の磁気センサ１７０（ＩＩ）を構成する二段目の左磁気センサ１７ａ2と対向するように、左永久磁石１５ａの左側のＮ極が位置し、二段目の左磁気センサ１７ａ2が１０ｍＴ以上の磁束を検出することで、左永久磁石１５ａの左側のＮ極に対して反発力を生じる極性となるように（すなわち、図２における二段目の電磁コイル１６０（ＩＩ）を構成する二段目の左電磁コイル１６ａ2の右側がＮ極となるように）、二段目の左電磁コイル１６ａ2に通電するともに、三段目の電磁コイル１６０（ＩＩＩ）を構成する三段目の左電磁（下側電磁コイル）コイル１６ａ3の右側がＳ極となるように（すなわち、左永久磁石１５ａの左側のＮ極に対して吸引力を生じる極性となるように）、三段目の左電磁コイル（上側電磁コイル）１６ａ3に通電する。
【００５１】
また、図３の状態で、二段目の磁気センサ１７０（ＩＩ）を構成する二段目の右磁気センサ１７ａ2と対向して右永久磁石１５ｂの右側のＮ極が位置し、二段目の右磁気センサ１７ｂ2が１０ｍＴ以上の磁束を検出することで、右永久磁石１５ｂの右側のＮ極に対して反発力を生じる極性となるように（すなわち、図３における二段目の電磁コイル１６０（ＩＩ）を構成する二段目の右電磁コイル１６ｂ2の左側がＮ極となるように）、二段目の右電磁コイル（下側電磁コイル）１６ｂ2に通電するとともに、三段目の電磁コイル１６０（ＩＩＩ）を構成する三段目の右電磁コイル１６ｂ3の左側がＳ極となるように（すなわち、右永久磁石１５ｂの右側のＮ極に対して吸引力を生じる極性となるように）、三段目の右電磁コイル（上側電磁コイル）１６ｂ3に通電する。
【００５２】
これにより、移動側支持筒１２は上方向に付勢されて、当接体１３と調理容器４０の底面との適切な当接が維持される。
【００５３】
この実施形態のガスコンロＡは、上述のように構成されており、制御手段が上昇制御を実行しない温度検出装置９の下降状態では、五徳５１上において調理容器４０を移動させるときに、温度検出装置９が邪魔になることがない。
【００５４】
しかも、制御手段が上昇制御を実行した温度検出装置９の上昇状態においては、五徳５１上に調理容器４０が載置されたときに当接体１３が調理容器４０の下面の上下位置に追随して上下するので、温度検出装置９によって調理容器４０の温度を適切に検出することができる。
【００５５】
さらに、通電によって永久磁石１５と電磁コイル１６０（１６０（Ｉ），１６０（ＩＩ），１６０（ＩＩＩ））との間に生じる吸引力と反発力とが、移動側支持筒１２を上方に向けて付勢する付勢力として作用するので、移動側支持筒１２を上方に向けて付勢するスプリングなどの付勢手段を別途必要とせず、構造が簡素化される。
【００５６】
また、この実施形態にかかるガスコンロＡでは、上述のように、点消火操作部２１ａによる点火指令の発令によって制御手段が上昇制御を実行し、点消火操作部２１ａによる消火指令の発令によって制御手段が上昇制御の実行を終了するように構成されているので、点消火操作部２１ａの点消火操作によって温度検出装置の上昇状態と下降状態とが確実に切り換えられる、使い勝手の良好なガスコンロを提供することができる。
【００５７】
次に、温度検出装置９の下降状態と、上昇状態とが切り換えられる際の動作を、図５に示した温度検出装置の昇降制御サブルーチンのフローチャートを参照しつつ、詳しく説明する。
【００５８】
まず、ステップ＃００１で点消火操作部２１ａによる点火操作の有無が判定される。
【００５９】
ステップ＃００１で点消火操作部２１ａによる点火操作があった（消火状態から点火状態への状態の変化があった）と判定された場合は、ステップ＃００２に進み、制御手段が上述の上昇制御を実行し、リターンする。
【００６０】
一方、ステップ＃００１で点消火操作部２１ａによる点火操作が行われていない（消火状態から点火状態への状態の変化がない）と判定された場合は、ステップ＃００３に進み、点消火操作部２１ａによる消火操作（点火状態から消火状態への状態の変化）の有無が判定される。
【００６１】
そして、ステップ＃００３で点消火操作部２１ａによる消火操作が行われた（点火状態から消火状態への状態の変化があった）と判定された場合は、ステップ＃００４で上昇制御の実行を停止して（電磁コイル１６０（１６０（Ｉ），１６０（ＩＩ），１６０（ＩＩＩ））への通電を停止して）、リータンする。
【００６２】
一方、ステップ＃００３で点消火操作部２１ａによる消火操作が行われていない（点火状態から消火状態への状態の変化がない）と判定された場合には、そのままリターンする。
【００６３】
上述のように、この実施形態のガスコンロＡでは、点消火操作部２１ａによる点火指令の発令によって制御手段が上昇制御を実行し、温度検出装置９が上昇した状態である上昇状態に切り換えられ、点消火操作部２１ａによる消火指令の発令によって上昇制御の実行を終了して、温度検出装置９の下降した状態である下降状態に切り換えられる。なお、上昇制御の実行が終了すると、移動側支持筒１２が自重によって下降し、温度検出装置９の下降状態となる。上述のように、この実施形態のガスコンロＡでは、点消火操作部２１ａの点消火操作によって温度検出装置９の上昇状態と下降状態とが切り換えられるように構成されているので、使い勝手のよいガスコンロを実現することができる。
【００６４】
また、この実施形態のガスコンロＡの場合、上述のように、左永久磁石１５ａと、右永久磁石１５ｂが移動側支持筒１２の下端側（中央部よりも下側の位置）に配設され、また、一段目の磁気センサ１７０（Ｉ）、二段目の磁気センサ１７０（ＩＩ）、および、一段目の電磁コイル１６０（Ｉ）、二段目の電磁コイル１６０（ＩＩ）、三段目の電磁コイル１６０（ＩＩＩ）が、固定側支持部材１１の下端側（中央部よりも下側の位置）に配設されている（図２，３，４）ため、標準バーナ（コンロバーナ）１ａの加熱による永久磁石１５（１５ａ，１５ｂ）や、一段目の磁気センサ１７０（Ｉ）、二段目の磁気センサ１７０（ＩＩ）、一段目の電磁コイル１６０（Ｉ）、二段目の電磁コイル１６０（ＩＩ）、三段目の電磁コイル１６０（ＩＩＩ）への熱影響を回避して、信頼性を向上させることができる。
【００６５】
ただし、永久磁石が移動側支持筒の下端側に配設され、磁気センサおよび電磁電磁コイルが固定側支持部材の下端側に配設されている構成は任意の構成であり、永久磁石が移動側支持筒の下部以外の位置に配設され、磁気センサ、電磁コイルが固定側支持部材の下部以外の位置に配設されていてもよい。
【００６６】
また、この実施形態のガスコンロＡにおいては、永久磁石１５を構成する左永久磁石１５ａ、右永久磁石１５ｂが移動側支持筒１２の上下方向に延びる中心軸（図示せず）を挟んで配置され、また、一段目および二段目の磁気センサ１７０（Ｉ）、１７０（ＩＩ）が、固定側支持部材の上下方向に延びる中心軸を挟んで同じ上下方向位置に複数配置された左右一対の電磁センサ（個別電磁センサ）から形成されているとともに、一段目、二段目、および三段目の電磁コイル１６０（Ｉ），１６０（ＩＩ），１６０（ＩＩＩ）のそれぞれが、固定側支持部材１１の上下方向に延びる中心軸（図示せず）を挟んで配置された左右一対の電磁コイル（個別電磁コイル）から形成されており、かつ、電磁コイルが、上下方向に三段に配設された構成とされているため、上昇制御の実行時における、移動側支持筒１２の移動や移動側支持筒１２の上方への付勢を円滑に行わせることが可能で、信頼性の高い上昇制御を行うことができる。
【００６７】
ただし、永久磁石、磁気センサ、電磁コイルは、それぞれ上述のように２個一対の構成ではなく、単一の永久磁石、磁気センサ、電磁コイルからなる構成とすることも可能であり、また、３個以上の複数個の永久磁石、磁気センサ、電磁コイルからなる構成とすることも可能である。
また、電磁コイル１６０および磁気センサ１７０の配設段数にも特別の制約はなく、この実施形態とは異なる段数とすることも可能である。
【００６８】
また、五徳５１に調理容器４０が載置されている場合、図３に示すように、制御手段が上昇制御を実行すると、当接体１３が調理容器４０の底面に当接する位置まで、移動側支持筒１２が上昇するが、五徳５１に調理容器４０が載置されていない場合、図４に示すように、制御手段が上昇制御を実行すると、当接体１３が五徳５１の上端を超えて、移動側支持筒１２が上昇する。
【００６９】
このとき、左永久磁石１５ａのＮ極が二段目の磁気センサ１７０（ＩＩ）の左磁気センサ１７ａ2の真正面に位置し、右永久磁石１５ｂのＮ極が二段目の磁気センサ１７０（ＩＩ）の右磁気センサ１７ｂ2の真正面に位置する。
【００７０】
そのため二段目の磁気センサ１７０（ＩＩ）の、二段目の左磁気センサ１７ａ2および二段目右磁気センサ１７ｂ2が検出する磁束は５０ｍＴ以上になる。
【００７１】
そして、この実施形態のガスコンロＡでは、制御手段が上昇制御を実行したときに、二段目の左磁気センサ１７ａ2および二段目の右磁気センサ１７ｂ2が検出する磁束が５０ｍＴ以上の場合、五徳５１に調理容器４０が載置されていないと判断して、点消火操作部２１ａにより点火指令が発令されたときにも左バーナ１ａに点火しないように構成されている。
【００７２】
その結果、五徳５１に調理容器４０が載置されていない場合に点火した左バーナ１ａの火炎に使用者が驚くことを抑制、防止することが可能になる。
【００７３】
なお、本実施形態において、制御手段が上昇制御を実行したときに、左磁気センサ１７ａ2および二段目の右磁気センサ１７ｂ2が検出する磁束が５０ｍＴ未満の場合、五徳５１に調理容器４０が載置されていると判断して、点消火操作部２１ａにより点火指令が発令されたときに左バーナ１ａに点火するように構成されている。
【００７４】
ただし、制御手段が上昇制御を実行したときに、制御手段が、磁気センサの出力に応じて五徳上に調理容器が載置されているか否かの判定を行い、調理容器が載置されてないと判定された場合に、コンロバーナへの点火を行わないようにする構成は任意の構成であり、本発明のガスコンロは、かかる構成を備えないようにすることも可能である。
【００７５】
［別実施形態］
上記実施形態では、標準バーナ（コンロバーナ）１ａへの点消火を指令する点消火操作部２１ａと、特に図示しない制御手段とが切換手段を構成している場合について説明したが、電源スイッチ２４と制御手段とが切換手段を構成するようにしてもよい。そして、その場合には、電源スイッチ２４の操作による制御手段への通電によって上昇状態に切り換えられ、電源スイッチ２４の操作により制御手段への通電を遮断したときに制御手段が上昇制御の実行を終了するように構成下降状態に切り換えられるように構成してもよい。
なお、切換手段はさらに他の構成とすることも可能である。
【００７６】
このように電源スイッチ２４と制御手段とが切換手段を構成するようにした場合も、電源スイッチ２４の操作による、制御手段への通電および非通電によって上昇状態と下降状態とが切り換えられるので、使い勝手のよい温度検出装置を備えたガスコンロを実現することができる。
【００７７】
また、上記実施形態では、ドロップインコンロを例にとって説明したが、本発明はテーブルコンロにも適用することが可能である。
【００７８】
また、上記実施形態では、標準バーナが、温度を検出するための温度検出装置を備えるとともに、温度検出装置の下降状態と上昇状態とを切り換える切換手段を備えている場合を例にとって説明したが、標準バーナに限らず、高火力バーナや、小バーナが温度検出装置および切換手段を備えている構成とすることも可能である。
【００７９】
本発明はさらにその他の点においても上記実施形態に限定されるものではなく、本発明の範囲内において種々の変形を加えることが可能である。
【符号の説明】
【００８０】
１ａ        標準バーナ
１ｂ        高火力バーナ
１ｃ        小バーナ
２          コンロバーナの貫通口
４          グリル部
９          温度検出装置（温度センサ）
１１        固定側支持部材
１１ａ      固定側支持部材の一端側
１１ｂ      固定側支持部材の他端側
１２        移動側支持筒
１３        当接体
１４        サーミスタ
１５        永久磁石
１５ａ      右永久磁石（個別永久磁石）
１５ｂ      左永久磁石（個別永久磁石）
１６ａ1     一段目の左電磁コイル（個別電磁コイル）
１６ａ2     二段目の左電磁コイル（個別電磁コイル）
１６ａ3     三段目の左電磁コイル（個別電磁コイル）
１６ｂ1     一段目の右電磁コイル（個別電磁コイル）
１６ｂ2     二段目の右電磁コイル（個別電磁コイル）
１６ｂ3     三段目の右電磁コイル（個別電磁コイル）
１７ａ1     一段目の左磁気センサ（個別磁気センサ）
１７ａ2     二段目の左磁気センサ（個別磁気センサ）
１７ｂ1     一段目の右磁気センサ（個別磁気センサ）
１７ｂ2     二段目の右磁気センサ（個別磁気センサ）
２１（２１ａ，２１ｂ，２１ｃ）    点消火操作部（加熱状態調節部）
２２        グリルバーナ操作部
２４        電源スイッチ
２５        電源ランプ
３２        標準バーナ用の付加機能操作・表示部
３３        グリル用の付加機能操作・表示部
３４        手動操作部
４０        調理容器
５１        五徳
６１        固定部
１６０      電磁コイル
１６０（Ｉ）      一段目の電磁コイル
１６０（ＩＩ）    二段目の電磁コイル
１６０（ＩＩＩ）  三段目の電磁コイル
１７０      磁気センサ
１７０（Ｉ）      一段目の磁気センサ
１７０（ＩＩ）    二段目の磁気センサ
Ａ          ガスコンロ
【図１】
2018035970.tif 000003
【図２】
2018035970.tif 000004
【図３】
2018035970.tif 000005
【図４】
2018035970.tif 000006
【図５】
2018035970.tif 000007